(57)【要約】【課題】より精度の高い波形判定エリアを作成して波形判定に対する信頼性を高めることができる波形判定装置および波形判定エリアの設定方法の提供。【解決手段】装置本体側に複数の良品波形として取り込まれた各波形Ｗ１〜Ｗ５を表示器２０の表示画面２０ａに重ね描きして表示するプロセスと、該表示画面２０ａに表示された各波形Ｗ１〜Ｗ５のうちから、最大値を示すドット状線分のみを検索してドット列として合成された最大値ラインＬｍａｘと、最小値を示すドット状線分のみを検索してドット列として合成された最小値ラインとＬｍｉｎを表示画面２０ａに同時に表示するプロセスと、基準となるべきこれら最大値ラインＬｍａｘと最小値ラインＬｍｉｎとの位置関係のもとで定まる所定幅の帯状領域を波形判定エリアＥ１として設定するプロセスとを経ることにより行われる。【選択図】図５
2004077413.tif 000002
【特許請求の範囲】
【請求項１】
良品波形を含む実測波形をディジタル化した波形として装置本体側に取り込むＡ／Ｄ変換部と、取り込まれた波形を第１メモリに読み出し可能に保持させるメモリ制御部と、操作部からの操作入力状況に応じてその全体を統括制御する中央処理装置と、該中央処理装置の制御のもとで必要なプログラムを読み出し自在に保持する第２メモリおよび波形判定エリアを書込み読出し自在に保持する第３メモリと、表示制御部による制御のもとで前記ディジタル波形や前記波形判定エリアなどの必要データを表示画面上に表示する表示器とを少なくとも備えてなる波形判定装置において、
前記波形判定エリアは、前記表示画面に前記良品波形として重ね描きして表示された各波形のうちから、最大値を示すドット状線分のみを検索してドット列として合成された最大値ラインと、最小値を示すドット状線分のみを検索してドット列として合成された最小値ラインとの位置関係のもとで定まる所定幅の帯状領域として前記表示画面への設定表示を自在としたことを特徴とする波形判定装置。
【請求項２】
装置本体側に複数の良品波形としてディジタル化して取り込まれた各波形を表示器の表示画面に重ね描きして表示するプロセスと、
該表示画面に表示された各波形のうちから、最大値を示すドット状線分のみを検索してドット列として合成された最大値ラインと、最小値を示すドット状線分のみを検索してドット列として合成された最小値ラインとを前記表示画面に同時に表示するプロセスと、
これら最大値ラインと最小値ラインとの位置関係のもとで定まる所定幅の帯状領域を波形判定エリアとして設定するプロセスとからなることを特徴とする波形記録装置のための波形判定エリアの設定方法。
【請求項３】
前記最大値ラインと前記最小値ラインとを基準にして設定される所定幅の帯状領域を前記波形判定エリアとする請求項２に記載の波形記録装置のための波形判定エリアの設定方法。
【請求項４】
前記最大値ラインと前記最小値ラインとの中間に位置する中間値ラインを基準に合成される所定幅の帯状領域を前記波形判定エリアとする請求項２に記載の波形記録装置のための波形判定エリアの設定方法。
【発明の詳細な説明】
【０００１】
【発明の属する技術分野】
本発明は、より高い精度のもとで実測波形の適否を判定することができる波形判定装置および波形判定エリアの設定方法に関する技術である。
【０００２】
【従来の技術】
図７は、従来からある波形判定装置が備える表示器の表示画面に対する波形判定エリアの設定手順を例示した説明図であり、良品波形として測定された１つのアナログ波形をディジタル化して取り込んでメモリに保持させた後、キー操作により「波形取込み」コマンドを実行してエディタ画面１上に図７（ａ）に示すように波形２として取り込む。
【０００３】
しかる後、キー操作により「平行移動」コマンドを実行し、波形２に対し図７（ａ）にて矢印で示す上下左右方向にエリアを拡大して図７（ｂ）に示すように波形判定エリア３を作成し、各チャンネルから各別に取り込まれる実測波形が波形判定エリア３との関係で比較され、その適否の判定を行うことができるようになっている。
【０００４】
【発明が解決しようとする課題】
しかし、図７に示す波形判定エリアの設定手法による場合には、良品波形として１つの波形２しか取り込むことができないので、基準となるもとの良品波形がどの程度の良品レベルにあるかを判断することが難しかった。このため、場合によっては境界ぎりぎりの良品レベルにある波形２を基準にしてマージンの偏った波形判定エリア３を作成してしまい、個々の実測波形の適否を判定する際の判定精度に対する信頼性を損なわせてしまう不都合があった。
【０００５】
本発明は、従来技術にみられた上記課題に鑑み、より精度の高い波形判定エリアを作成して波形判定に対する信頼性を高めることができる波形判定装置および波形判定エリアの設定方法を提供することに目的がある。
【０００６】
【課題を解決するための手段】
本発明は、上記目的を達成すべくなされたものであり、そのうちの第１の発明（装置）は、良品波形を含む実測波形をディジタル化した波形として装置本体側に取り込むＡ／Ｄ変換部と、取り込まれた波形を第１メモリに読み出し可能に保持させるメモリ制御部と、操作部からの操作入力状況に応じてその全体を統括制御する中央処理装置と、該中央処理装置の制御のもとで必要なプログラムを読み出し自在に保持する第２メモリおよび波形判定エリアを書込み読出し自在に保持する第３メモリと、表示制御部による制御のもとで前記ディジタル波形や前記波形判定エリアなどの必要データを表示画面上に表示する表示器とを少なくとも備えてなる波形判定装置において、前記波形判定エリアは、前記表示画面に前記良品波形として重ね描きして表示された各波形のうちから、最大値を示すドット状線分のみを検索してドット列として合成された最大値ラインと、最小値を示すドット状線分のみを検索してドット列として合成された最小値ラインとの位置関係のもとで定まる所定幅の帯状領域として前記表示画面への設定表示を自在としたことに構成上の特徴がある。
【０００７】
また、第２の発明（方法）は、装置本体側に複数の良品波形としてディジタル化して取り込まれた各波形を表示器の表示画面に重ね描きして表示するプロセスと、該表示画面に表示された各波形のうちから、最大値を示すドット状線分のみを検索してドット列として合成された最大値ラインと、最小値を示すドット状線分のみを検索してドット列として合成された最小値ラインとを前記表示画面に同時に表示するプロセスと、これら最大値ラインと最小値ラインとの位置関係のもとで定まる所定幅の帯状領域を波形判定エリアとして設定するプロセスとからなることに構成上の特徴がある。
【０００８】
この場合、第２の発明における前記波形判定エリアは、前記最大値ラインと前記最小値ラインとを基準にして設定される所定幅の帯状領域について設定することができるほか、前記最大値ラインと前記最小値ラインとの中間に位置する中間値ラインを基準として合成される所定幅の帯状領域について設定することもできる。
【０００９】
【発明の実施の形態】
図１は、本発明のうちの第１の発明（装置）の概略構成例を示す機能ブロック図であり、良品波形を含む実測波形Ｓをディジタル化した波形（Ｗ）Ｗ１〜Ｗ５として装置本体１１側に取り込むＡ／Ｄ変換部１２と、取り込まれた波形をバッファメモリなどからなる第１メモリ１４に読み出し可能に保持させるメモリ制御部１３と、操作部１６におけるキー操作などの操作入力状況に応じてその全体を統括制御する中央処理装置（ＣＰＵ）１５と、該中央処理装置１５の制御のもとで必要なプログラムを読み出し自在に保持するＲＯＭなどからなる第２メモリ１７および必要データを書込み読出し自在に保持するＲＡＭなどからなる第３メモリ１８と、表示制御部１９による制御のもとで波形（Ｗ）Ｗ１〜Ｗ５などの必要データを表示画面２０ａ上に表示する表示器２０とを少なくとも備えてその全体が構成されている。
【００１０】
しかも、表示器２０の表示画面２０ａ上には、図５（ａ）に示すように該表示画面２０ａに重ね描きして表示された各波形Ｗ１〜Ｗ５のうちから、最大値を示すドット状線分のみを検索してドット列として合成された最大値ラインＬｍａｘと、最小値を示すドット状線分のみを検索してドット列として合成された最小値ラインＬｍｉｎとを同時に表示することができるようになっている。
【００１１】
さらに、表示画面２０ａ上には、これら最大値ラインＬｍａｘと最小値ラインＬｍｉｎとの位置関係のもとで定まる所定の帯状領域として、例えば図５（ｃ）に示す波形判定エリアＥ１や図６（ｃ）に示す波形判定エリアＥ２などを適宜設定表示できるようになっている。
【００１２】
このような構成からなる第１の発明に（装置）に適用して実施される第２の発明（方法）は、図２に示されているように波形判定エリアの作成処理が開始されると、まず、複数回にわたり良品波形が測定され、例えば図５（ａ）や図６（ａ）に示されているように波形表示画面モードとなっている表示器２０の表示画面２０ａ上に重ね描かれた波形Ｗ１〜Ｗ５として表示される。
【００１３】
次いで、表示器２０の表示画面２０ａを波形表示画面モードからエディタ画面モードへと切り換えた後、「波形取込」コマンドを実行して波形Ｗ１〜Ｗ５を表示画面２０ａに取り込む。
【００１４】
このようにしてエディタ画面モードとなっている表示画面２０ａに波形Ｗ１〜Ｗ５を取り込んだ後は、方法１と方法２としてあらかじめ用意されている二つの処理法のいずれかを選択することにより、次の処理が行われる。
【００１５】
図３は、方法１（最大最小ラインでのエリア作成）を選択した場合の処理手順を示すフローチャートであり、まず、図５（ａ）に示すようにエディタ画面モードとなっている表示画面２０ａに取り込まれたすべての波形Ｗ１〜Ｗ５の横軸の各ポイントにおいて最大値、最小値を検索し、最大値を示すドット状線分のみを連続ドット列として合成した最大値ラインＬｍａｘと、最小値を示すドット状線分のみを連続ドット列として合成した最小値ラインＬｍｉｎとを図５（ｂ）に示すように表示器２０の表示画面２０ａに同時に表示する。
【００１６】
次いで、これら最大値ラインＬｍａｘと最小値ラインＬｍｉｎとの間に位置する領域は、例えばある色で塗りつぶすなどして、図５（ｃ）に示すように残余の領域との区別が可能な波形判定エリアＥ１として設定され、これによりその処理のすべてを終了する。
【００１７】
一方、図４は、方法２（中間値ラインでのエリア作成）を選択した場合の処理手順を示すフローチャートであり、まず、図６（ａ）に示すようにエディタ画面モードの表示画面２９ａに取り込まれたすべての波形Ｗ１〜Ｗ５の横軸の各ポイントにおいて最大値、最小値を検索し、最大値を示すドット状線分のみを連続ドット列として合成した最大値ラインＬｍａｘと、最小値を示すドット状線分のみを連続ドット列として合成した最小値ラインＬｍｉｎとを図６（ｂ）に示すように表示器２９の表示画面２９ａに同時に表示する。
【００１８】
次いで、最大値ラインＬｍａｘと最小値ラインＬｍｉｎとの中間に位置する図６（ｂ）に示す中間値ラインＬｍｉｄを作成し、該中間値ラインＬｍｉｄを上下左右方向に適宜平行移動させたり、一定割合を掛けることにより確保される所定幅の帯状領域を、例えばある色で塗りつぶすなどして、図６（ｃ）に示すように残余の領域との区別が可能な波形判定エリアＥ２として設定され、これによりその処理のすべてを終了する。なお、この場合における波形判定エリアＥ２は、中間値ラインＬｍｉｄを上下方向にのみ平行移動したり、左右方向にのみ平行移動して設定することもできる。
【００１９】
このため、本発明によれば、表示器２０の表示画面２０ａ上には、良品波形として取り込まれた複数の波形Ｗ１〜Ｗ５　に基づいて作成された波形判定エリアＥ１　またはＥ２を表示することができる。
【００２０】
このうち、図５（ｃ）に示されている波形判定エリアＥ１は、良品波形としてエディタ画面モードの表示画面２０ａに取り込まれたすべての波形Ｗ１〜Ｗ５に基づいて合成された最大値ラインＬｍａｘと最小値ラインＬｍｉｎとの間に位置する帯状領域として作成されている。
【００２１】
このため、波形判定エリアＥ１を用いる場合には、複数の良品波形の最大値ラインＬｍａｘと最小値ラインＬｍｉｎとから波形判定エリアＥ１を作成することができるので、波形の良否判定を精度高く行うことができる。
【００２２】
一方、図６（ｃ）に示されている波形判定エリアＥ２は、良品波形としてエディタ画面モードの表示画面２０ａに取り込まれたすべての波形Ｗ１〜Ｗ５に基づいて合成された最大値ラインＬｍａｘと最小値ラインＬｍｉｎとに対し、その中間に位置する中間値ラインＬｍｉｄを基準とし、該中間値ラインＬｍｉｄを上下左右方向に平行移動または一定割合を掛けて確保される所定の帯状領域として作成されている。
【００２３】
このため、波形判定エリアＥ２を用いる場合には、良品波形の最大値ラインＬｍａｘと最小値ラインＬｍｉｎとの中間値の連続である中間値ラインＬｍｉｄを基準とすることでより偏りの少ない波形判定エリアＥ２を作成することができるので、確度の高い波形の良否判定を行うことができる。
【００２４】
以上は、本発明の実施形態を図示例に即して説明したものであり、その具体的な実施の形態例はこれに限定されるものではない。例えば、取り込まれる波形の数は、２個以上の多数個にわたるものであってもよい。また、波形判定エリアは、その該当領域と残余の領域とが視別できるように表示する際には例えば図示例とは逆に残余の領域を塗りつぶすようにするものであってもよい。さらに、波形判定エリアは、特に塗りつぶしたりせずに単に所定幅の帯状領域として表示画面に区画表示することもできる。また、波形判定エリア自体は、上記した方法１や方法２により帯状領域として設定した後、さらに必要に応じて平行移動したり一定割合を掛けることによりその領域幅を適宜広げたり狭めたりすることもできる。
【００２５】
【発明の効果】
以上述べたように本発明によれば、表示器の表示画面には、良品波形として取り込まれた複数の波形　に基づいて作成された波形判定エリアを表示することができるので、より精度の高い波形判定エリアを設定して波形判定に対する信頼性を高めることができる。
【００２６】
特に、良品波形として取り込まれたすべての波形に基づいて作成された最大値ラインと最小値ラインとから波形判定エリアを作成する場合には、波形の良否判定を精度高く行うことができる。
【００２７】
また、良品波形の最大値ラインと最小値ラインとの中間値の連続である中間値ラインを基準とすることで、より偏りの少ない波形判定エリアを作成する場合には、確度の高い波形の良否判定を行うことができる。
【図面の簡単な説明】
【図１】本発明のうちの第１の発明のの構成例を示す機能ブロック図。
【図２】本発明のうちの第２の発明の処理手順の概要を例示したフローチャート。
【図３】図２における「方法１」ステップの処理手順の詳細を示すフローチャート。
【図４】図２における「方法２」ステップの処理手順の詳細を示すフローチャート。
【図５】図２における「方法１」ステップとの対応関係のもとで波形判定エリアの設定手順を（ａ）〜（ｃ）として例示した説明図。
【図６】図２における「方法２」ステップとの対応関係のもとで波形判定エリアの設定手順を（ａ）〜（ｃ）として例示した説明図。
【図７】従来からある波形記録装置における表示画面に対する波形判定エリアの設定手順を（ａ），（ｂ）として例示した説明図。
【符号の説明】
１１装置本体
１２　Ａ／Ｄ変換部
１３　メモリ制御部
１４　第１メモリ
１５　中央処理装置（ＣＰＵ）
１６　操作部
１７　第２メモリ
１８　第３メモリ
１９　表示制御部
２０　表示器
２０ａ　表示画面
Ｓ　実測波形
Ｗ（Ｗ１〜Ｗ５　）　波形
Ｌｍａｘ　　最大値ライン
Ｌｍｉｎ　最小値ライン
Ｌｍｉｄ　　中間値ライン
Ｅ１　，Ｅ２　波形判定エリア
【図１】
2004077413.tif 000003
【図２】
2004077413.tif 000004
【図３】
2004077413.tif 000005
【図４】
2004077413.tif 000006
【図５】
2004077413.tif 000007
【図６】
2004077413.tif 000008
【図７】
2004077413.tif 000009